(57)【特許請求の範囲】
【請求項１】
胴部２上端から口頸部３を起立する容器体１と、上記口頸部外面へ、頂壁５外周から垂下する周壁６を水密に嵌合させた、ノズル13付きの注出栓４と、注出栓周壁の上端部内面へ、板外周を容器体口頸部の上端面と頂壁５外周部とで挟持させて横設した、中央部に透孔31を有する仕切板30とを有し、上記注出栓４は、その頂壁５を、上記周壁上端に付設した内向きフランジ８と、該内向きフランジ内周縁から起立する、上部小外径の弾性隆起筒と、該筒の上端内周縁から起立する小円筒11と、該小円筒上面を閉塞する頂板12とで形成し、又上記小円筒上部から小径ノズル13を前方へ突出すると共に、頂板12中央部から垂下した弁棒15を上記仕切板30の透孔31に遊挿させ、該弁棒下端から下外方へ拡開させたスカート状部16上面を、弾性隆起筒の弾性復元力により透孔31下外縁へ圧接させることで、透孔31を水密に閉塞させ、上記小径ノズル（13）は非高圧粘性液体の流出が不能な内径としたことを特徴とする粘性液体注出容器。
【請求項２】
注出栓頂壁５の弾性隆起筒を、数個の径を異にする弾性円筒９とこれ等円筒上端に付設した弾性を有する内向きフランジ10とで、下方に位置する内向きフランジ内周から弾性円筒９を起立させて形成したことを特徴とする粘性液体注出容器。
【発明の詳細な説明】
【０００１】
【発明の属する技術分野】
本発明は、多少粘性を有する液体を比較的少量宛注出するための液体注出容器に関する。
【０００２】
【従来の技術】
例えば、実開平2‐25458 号公報のノズル付き注出栓が知られている。該注出栓は、容器体口頸部外面へ嵌合させる周壁上面を閉塞する頂壁を、複数の弾性変形可能な内向きフランジと複数の弾性変形可能な起立円筒とを交互に設けることで、蛇腹状に隆起させて最上位円筒上面を頂板で閉塞し、又最下位円筒からはノズルを側外方へ突出させて形成し、該注出栓を嵌合させた容器体傾斜状態で上記頂板を押込むと、頂壁が弾性変形により下降して容器体内液体が注出し、又上記頂板を離すと頂壁が弾性復元して、このときノズルから容器体内へ外気が流入して容器体内の負圧化を解消するよう設けたものである。
【０００３】
【発明が解決しようとする課題】
上記注出栓付き容器体内に粘性を有する液体を入れて注出しようとする場合、容器体を傾けても収納液体は容器体胴部を伝ってゆっくり下降することとなるため、液体注出に時間を要し面倒であり、特に収納液体が減少したとき、その欠点が顕著となる。
【０００４】
請求項１記載の本発明は容器体上端部に透孔付きの仕切板を横設して容器体内とキャップ内との二室に区別すると共に、上部を小径として隆起するキャップ頂壁最上位の円筒からノズルを突出し、かつ該最上位円筒の上面を閉塞する頂板から上記透孔に遊挿させて垂下した弁棒下端にスカート状部を付設し、該スカート状部上面と上記仕切板の透孔とで弁を形成して、注出される液体をノズルに近接するキャップの頂壁内へ貯めることが可能とし、もって従来の欠点を除去できるよう設けたものである。請求項２記載の場合は、上記請求項１記載の課題を解決すると共に、注出栓頂壁の弾性復元力を高めたものである。
【０００５】
【課題を解決するための手段】
第１の手段として、胴部２上端から口頸部３を起立する容器体１と、上記口頸部外面へ、頂壁５外周から垂下する周壁６を水密に嵌合させた、ノズル13付きの注出栓４と、注出栓周壁の上端部内面へ、板外周を容器体口頸部の上端面と頂壁５外周部とで挟持させて横設した、中央部に透孔31を有する仕切板30とを有し、上記注出栓４は、その頂壁５を、上記周壁上端に付設した内向きフランジ８と、該内向きフランジ内周縁から起立する、上部小外径の弾性隆起筒と、該筒の上端内周縁から起立する小円筒11と、該小円筒上面を閉塞する頂板12とで形成し、又上記小円筒上部から小径ノズル13を前方へ突出すると共に、頂板12中央部から垂下した弁棒15を上記仕切板30の透孔31に遊挿させ、該弁棒下端から下外方へ拡開させたスカート状部16上面を、弾性隆起筒の弾性復元力により透孔31下外縁へ圧接させることで、透孔31を水密に閉塞させ、上記小径ノズル13は、非高圧粘性液体の流出が不能な内径とした。
【０００６】
第２の手段として、上記第１の手段を有すると共に注出栓頂壁５の弾性隆起筒を、数個の径を異にする弾性円筒９とこれ等円筒上端に付設した弾性を有する内向きフランジ10とで、下方に位置する内向きフランジ内周から弾性円筒９を起立させて形成した。
【０００７】
【発明の実施の形態】
本発明容器は、容器体と、該容器体口頸部に周壁を嵌合させて起立するノズル付きの注出栓と、該注出栓周壁の上端部内面へ、板外周を容器体口頸部の上端面と注出栓頂壁の外周部との間で挟持させて横設した仕切板とを有する。
【０００８】
容器体１は、胴部２上端から注出栓螺合用口頸部３を起立する。
注出栓４は、頂壁５外周から垂下する周壁６を、上記口頸部外面へ水密に螺合させており、その周壁上端部内面には仕切板嵌合用の凹溝７を周設している。その頂壁５は、周壁６上端に付設した内向きフランジ８と、数個の径を異にする、弾性を有する円筒９…と、これ等各円筒上端に付設した弾性を有する内向きフランジ10…とで、下方に位置する内向きフランジ内周から各円筒を起立して蛇腹状に隆起し、又最上位の内向きフランジ内周から小円筒11を起立して、該小円筒上面を頂板12で閉塞して形成している。
【０００９】
又上記小円筒11上部からは非高圧粘性液体の流出が不能とした小径ノズル13を上前方へ突出し、かつ頂板12中央部からは嵌合筒14を介して弁棒15を垂下する。該弁棒下端には、下外方へ拡開するスカート状部16を付設している。弁棒15は、図示のように頂板下面から垂下した嵌合筒14内へ上端部をかた嵌め状態に嵌合させ、又嵌合筒下端内面に周設した突条を弁棒上部外面に周設した凹溝内へ嵌合させて抜出し不能に嵌合させるとよい。尚その突条と凹溝とは逆に設けてもよいことは当然である。弁棒の長さについては後述する。
【００１０】
図示例では既述液体注出栓４にキャップ20を一体設している。該キャップを設ける場合は、注出栓周壁６上部を小外径部6aとなし、該小外径部の前後両部を除く左右両側部の一方外縁に、図２が示すように肉薄ヒンジ21を介して、注出栓上部を覆合させるキャップ20の周壁22下端縁を連結する。キャップ20はその周壁22下部を上記小外径部6a外面ヘ嵌合できるよう設ける。その嵌合を確実とするため上記小外径部6aの上端外面とこれに対応する周壁下部内面とにはそれぞれ係合突条を周設している。
【００１１】
上記キャップ嵌合時において、ノズル13の先端開口面はキャップ周壁22の上部内壁面により密閉できるよう設けておく。このためキャップ周壁の上部はテーパ状となし、又ノズル先端面は上記テーパ状部分内面へ密接可能に傾斜面としている。肉薄ヒンジと反対側の周壁下端には指掛け23を付設し、又該指掛け下方の注出栓周壁部分には指掛け用凹部24を設けている。
【００１２】
仕切板30は、その外周を既述注出栓４の周壁上端部内面に周設した凹溝７内へ嵌合させて周壁内面に横設し、容器体口頸部の上端面と、注出栓頂壁の外周部、つまり周壁上端の内向きフランジ８との間で挟持させている。該仕切板中央部には透孔31を穿設しており、該透孔には既述弁棒15を遊挿させて、スカート状部16上面でその透孔を密閉する。つまり該密閉状態で、注出栓の頂板12は弁棒15により頂壁５の弾性に抗してやゝ引き下げられ、従ってスカート状部16上面は透孔周縁へ圧接して該透孔を密閉し、その透孔周縁とスカート状部とが弁32を形成するよう設けておく。弁棒下部には液体流路としての溝を縦設してもよい。
【００１３】
既述各部材はすべて合成樹脂で成形している。
容器使用の際は、予め容器体１内へ多少粘性を有する液体を入れておき、キャップ20を外し、又容器体１を、スカート状部16が液中に没するまで傾け、該状態から注出栓の頂板12の第１回押込みを行うと、複数の円筒９と内向きフランジ10とが形成する蛇腹状の隆起部分は弾性に抗して押下げられ、頂板12を介して弁棒15も押下げられ、スカート状部16が透孔31の周縁から離れるため、透孔が開口し、よって容器体内液体が上記隆起部分内へ流入すると同時に該隆起部分内空気が容器体内へ流入置換する。隆起部分内へ入った液体はノズル孔基端内面に達するが、ノズルは小径であるため外気との置換が出来ず、よってノズルからは流出しない。
【００１４】
以後、頂板解放による隆起部分の弾性復元で液体および外気がその隆起部分内へ吸込みされ、又頂板押込みによる隆起部分内の加圧で隆起部分内空気は容器体内へ入り、液体は外方へ注出される。
【００１５】
液体注出終了後、容器を正立させると、このとき隆起部分内には適当量の液体と空気とが入っており、かつこのとき弁32は閉塞しているから、次回の液体注出の際、直ちに隆起部分内液体を注出できる。
【００１６】
既述実施形態で述べた蛇腹状の隆起部分は、例えばドーム状等の、上部小径の弾性隆起筒で形成し、内向きフランジ８内周から該弾性隆起筒を起立し、該筒の上端内周縁から小円筒11を起立させてもよい。小円筒上面は頂板12で閉塞する。この場合も既述実施形態の場合と同様の作用を有し、同様に使用することが出来る。
【００１７】
【発明の効果】
請求項１記載の本発明は既述構成としたから、初回の液体注出時を除き、仕切板30上方の注出栓隆起筒部分内に常に一定量の液体と空気とが貯えられることとなり、次回の液体注出操作時に、その隆起筒部分内にあった液体が注出されると共に隆起筒部分内にあった空気は容器体内に入り、又その注出操作終了による隆起筒の弾性復元時に、容器体内液体および外気がその隆起筒内へ流入するから、従来に比べて粘性ある液体の注出を迅速に行うことが出来る。
【００１８】
請求項２発明の場合は、上記効果に加えて弾性隆起筒を、数個の径を異にする弾性円筒９とこれ等円筒上端に付設した弾性を有する内向きフランジ10とで、下方に位置する内向きフランジ内周から弾性円筒９を起立して形成したからその弾性復元力を強めることが出来る。
【図面の簡単な説明】
【図１】  本発明容器の断面図である。
【図２】  その容器の側面図である。
【符号の説明】
４…注出栓                11…小円筒
13…ノズル                15…弁棒
16…スカート状部          20…キャップ
30…仕切板                32…弁
【図１】
0003642857.tif 000002
【図２】
0003642857.tif 000003